(57)【特許請求の範囲】
【請求項１】
復号器における画像の逆トーンマッピングの方法であり、該画像の各カラーチャネルの各ブロックに対し、
隣接するブロックの予測スケールファクタと現スケールファクタとの差に現ブロックに対する予測スケールファクタを加算することによって、現ブロックに対するスケールファクタを確定するステップと、
隣接するブロックの予測オフセット値と現オフセット値との差に現ブロックに対する予測オフセット値を加算することによって、現ブロックに対するオフセット値を確定するステップと、
ビット深度が前記現ブロックのビット深度より大きいマッピングされたブロックを生成するために、現ブロックのピクセル強度値を前記スケールファクタで乗算するとともに、前記オフセット値を加算するようにして、前記スケールファクタおよび前記オフセット値を前記現ブロックの前記ピクセル強度値に適用するステップと
を含む復号器における画像の逆トーンマッピングの方法。
【請求項２】
前記確定するステップおよび前記適用するステップは、画像のシーケンスに対して実行される請求項１に記載の方法。
【請求項３】
前記隣接するブロックの予測スケールファクタおよび前記隣接するブロックの予測オフセット値は、予測方向によって選択される請求項１に記載の方法。
【請求項４】
前記スケールファクタおよび前記オフセット値は、符号器において確定される請求項１に記載の方法。
【請求項５】
前記確定するステップおよび前記適用するステップは、リアルタイムに実行される請求項１に記載の方法。
【請求項６】
前記スケールファクタは、候補スケールファクタのセットから選択され、該スケールファクタの範囲は、動的に適合される請求項１に記載の方法。
【請求項７】
前記隣接するブロックは、前記現ブロックの上方のブロックと該現ブロックの左のブロックとから選択される請求項１に記載の方法。
【請求項８】
前記予測スケールファクタと前記隣接するブロックのスケールファクタとの差、および前記予測オフセット値と前記隣接するブロックのオフセット値との差は、符号化ビットストリームから取得される請求項１に記載の方法。
【請求項９】
前記予測方向、前記予測スケールファクタと前記隣接するブロックのスケールファクタとの差、および前記予測オフセット値と前記隣接するブロックのオフセット値との差は、コードストリームから取得される請求項３に記載の方法。
【請求項１０】
前記予測方向は、前記現ブロックのスケールファクタおよび前記隣接するブロックのスケールファクタから確定される請求項３に記載の方法。
【請求項１１】
前記予測方向は、前記現ブロックのオフセット値および前記隣接するブロックのオフセット値から確定される請求項３に記載の方法。
【請求項１２】
前記予測方向は、前記現ブロックのＤＣ係数および前記隣接するブロックのＤＣ係数から確定される請求項３に記載の方法。
【請求項１３】
前記適用することは、
前記ピクセル強度値を前記スケールファクタで乗算すると共に、前記オフセット値を加算すること
をさらに含む請求項１に記載の方法。
【請求項１４】
前記ピクセル強度値にレイヤ間残差を加算すること
をさらに含む請求項１３に記載の方法。
【請求項１５】
候補スケールファクタのセットにおける各候補スケールファクタに対し、
スケーリングされたピクセル強度値をもたらすために、前記ピクセル強度値を前記候補スケールファクタによって乗算することと、
前記スケーリングされたピクセル強度値と前記ピクセル強度値との差を確定することと、
前記各候補スケールファクタに対して確定されたそれぞれの差の中で、差が最小となる候補スケールファクタを前記スケールファクタとして選択することと
をさらに含む請求項４に記載の方法。
【請求項１６】
画像の逆トーンマッピングのシステムであって、
前記画像の各カラーチャネルの各ブロックに対し、隣接するブロックの予測スケールファクタと現スケールファクタとの差に現ブロックに対する予測スケールファクタを加算することによって、現ブロックに対するスケールファクタを確定し、隣接するブロックの予測オフセット値と現オフセット値との差に現ブロックに対する予測オフセット値を加算することによって、現ブロックに対するオフセット値を確定し、かつ現ブロックのピクセル強度値を前記スケールファクタで乗算するとともに、前記オフセット値を加算するようにして、前記スケールファクタおよび前記オフセット値を前記現ブロックのピクセル強度値に適用することによって、ビット深度が前記現ブロックのビット深度より大きい、マッピングされたブロックを生成するように構成される復号器
を備える画像の逆トーンマッピングのシステム。
【請求項１７】
前記復号器は、画像のシーケンスに対して動作する請求項１６に記載のシステム。
【請求項１８】
前記スケールファクタおよび前記オフセット値を確定するように構成される符号器
をさらに備える請求項１６に記載のシステム。
【請求項１９】
画像の逆トーンマッピングを実行するコーデックであって、
前記画像の各カラーチャネルの各ブロックに対し、隣接するブロックの該予測スケールファクタと現スケールファクタとの差に現ブロックに対する予測スケールファクタを加算することによって、現ブロックに対するスケールファクタを確定し、隣接するブロックの予測オフセット値と現オフセット値との差に現ブロックに対する予測オフセット値を加算することによって、現ブロックに対するオフセット値を確定し、現ブロックのピクセル強度値を前記スケールファクタで乗算するとともに、前記オフセット値を加算するようにして、前記スケールファクタおよび前記オフセット値を前記現ブロックのピクセル強度値に適用することによって、ビット深度が前記現ブロックのビット深度より大きい、マッピングされたブロックを生成するように構成される復号器と、
前記スケールファクタおよび前記オフセット値を確定するように構成される符号器と
を備える画像の逆トーンマッピングを実行するコーデック。
【発明の詳細な説明】
【技術分野】
【０００１】
本発明は、包括的には画像の符号化および復号に関し、特に、スケーラブルなビット深度の画像のシーケンスの符号化および復号に関する。
【背景技術】
【０００２】
コンピュータグラフィックスにおいて、トーンマッピングは、画像のダイナミックレンジを変更する。たとえば、トーンマッピングは、高ダイナミックレンジ（ＨＤＲ）画像を低ダイナミックレンジ（ＬＤＲ）の画像に、またはその逆に変更することができる。画像において、ダイナミックレンジは、ピクセル強度値を格納するために割り当てられるビットの数（ビット深度）によって確定される。トーンマッピングは、画像の外観を維持しながら、シーンの放射輝度値からレンダリング可能な範囲までの強度なコントラストの低下を回避するように試みる。
【０００３】
ＭＰＥＧおよびＩＴＵシリーズのビデオ符号化標準規格等、従来のビデオ符号化方式は、固定ビット深度、例えば、８ビット／ピクセル（ｂｐｐ）のビデオの圧縮には非常に適している。ＶＨＳおよびＤＶＤで利用可能な民生用ビデオおよびデジタルテレビ放送は、通常、８ｂｐｐであり、これらは低ダイナミックレンジ（ＬＤＲ）を有すると言われる。より高いビット深度、例えば、１０ｂｐｐ〜２４ｂｐｐのビデオは、通常、専門的なアプリケーションで使用され、高ダイナミックレンジ（ＨＤＲ）を有する。
【０００４】
図１は、動き推定１１０を備える従来の符号器１００を示す。符号器への入力は、固定ビット深度の画像のシーケンスまたはビデオ１０１である。ビデオのフレーム（画像）は、ブロック、例えば、８×８ピクセルまたは１６×１６ピクセルに分割される。ブロックは、一度に１つ処理される。動き推定器１１０は、符号化される現ブロックに対しフレームメモリ１１１に格納されている参照フレームの最も一致するブロックを確定する。この最も一致するブロックは、現ブロックに対する予測フレームとしての役割を果たす。対応する動きベクトル１１２は、エントロピー符号化される（１５０）。入力ビデオの現ブロックと予測ブロック１２１との間の差信号１２２が確定され（１２０）、予測ブロック１２１は、動き補償付き予測器１３０によって生成される。そして、差信号に対し変換／量子化プロセス１４０が施されることによって、量子化変換係数（テクスチャ）１４１のセットがもたらされる。これらの係数がエントロピー符号化される（１５０）ことによって、圧縮出力ビットストリーム１０９がもたらされる。量子化変換係数１４１に対して逆変換／量子化１６０を実行し、その結果と動き補償付き予測１２１とを加算する（１７０）ことによって、再構成される参照フレーム１７１が生成され、それは、フレームメモリ１１１に格納され、入力ビデオ１０１の連続フレームを予測する（１３０）ために使用される。出力符号化ビットストリーム１０９は、動きベクトル１１２およびテクスチャ（ＤＣ係数）１４１のエントロピー符号化１５０に基づいて生成される。
【０００５】
図２は、従来の復号器２００を示す。入力符号化ビットストリーム２０１は、エントロピー復号器２１０に与えられ、エントロピー復号器２１０は、量子化変換係数２１１と対応する動きベクトル２１２を共にもたらす。動きベクトルは、動き補償付き予測器２２０によって使用され、予測信号２２１がもたらされる。量子化変換係数２１１は、逆変換／量子化され（２３０）、予測信号２２１に加算される（２４０）ことによって、再構成される固定（単一）ビット深度ビデオ２０９がもたらされる。連続フレームを復号するために使用される、再構成されるビデオのフレームは、フレームメモリ２５０に格納される。符号器および復号器の組合せは、コーデックとして既知である。
【０００６】
上記方式は、入力画像が固定ビット深度を有する場合には優れた圧縮効率を達成する。目下、大部分の民生ディスプレイは、ＬＤＲ８ｂｐｐビデオしかレンダリングすることができない。したがって、従来の符号化方式を直接適用することができる。
【０００７】
より高いビット深度のビデオを観るためには、ＨＤＲ表示装置が必要である。表示技術の進歩によって、消費者は、近い将来、ＨＤＲビデオの利益を享受することができるようになる。ＬＤＲ表示装置およびＨＤＲ表示装置を共に効率的にサポートするためには、ＬＤＲビデオおよびＨＤＲビデオの両方またはいずれかに対し、再構成が可能なビデオのスケーラブル表現が必要である。
【０００８】
１つの方法は、入力ＨＤＲビデオおよびＬＤＲバージョンを２つの別個のパスで圧縮する、すなわち、それぞれ固定ビット深度ＨＤＲ符号器および固定ビット深度ＬＤＲ符号器を使用することによって、スケーラブル表現を達成する。これを、サイマル放送符号化と呼ぶ。しかしながら、その方法の圧縮効率は、ＨＤＲバージョンおよびＬＤＲバージョンの冗長性のために、非常に低い。また、計算複雑性が非常に高い。ビット深度スケーラブルなビデオ圧縮手法については、Winken他著「SVC bit-depth scalability」（Joint Video Team of ISO/IEC MPEG & ITU-T VCEG, Doc. JVT-V078, 22nd Meeting, January 2007）において述べられている。
【０００９】
図３は、ビット深度スケーラブル符号器３００を示す。入力ＨＤＲビデオ３０１は、トーンマッピング３１０を使用してＬＤＲビデオ１０１にダウンコンバートされる。そして、ＬＤＲビデオ１０１が圧縮されることによって、基本レイヤ１０９がもたらされる。基本レイヤからの現再構成フレーム１１５の各々が、逆トーンマッピング３２０を使用して入力ビデオ３０１のビット深度にアップコンバートされることによって、逆トーンマッピングフレーム３２１が生成される。逆トーンマッピングフレーム３２１と入力ＨＤＲフレーム３０１との差が確定され（３２９）、その後、差信号に変換／量子化プロセス３３０が施されることによって、量子化変換係数３３１のセットがもたらされる。これらの係数がエントロピー符号化される（３４０）ことによって、拡張レイヤ３４１がもたらされる。拡張レイヤビットストリーム３４１が基本レイヤビットストリーム１０９と多重化される（３５０）ことによって、出力ビット深度スケーラブルビットストリーム３０９が生成される。
【００１０】
図４は、対応する復号器４００を示す。入力符号化ビットストリーム４０１は、基本レイヤ２０１と拡張レイヤ４０２とにデマルチプレクシングされる（４１０）。基本レイヤは、上述したように復号される。拡張レイヤもまた、エントロピー復号され（２１０）、逆変換／量子化されることによって、出力４３１が生成される。この場合、フレームメモリ２５０の出力は、逆トーンマッピングされ（４２０）、トーンマッピングの出力が出力４３１に追加されることによって、入力ビデオ１０１の再構成４０９が生成される。
【００１１】
従来技術によるビット深度スケーラブルなビデオコーデックでは、以下を含む逆トーンマッピング３２０の３つの方法が既知である。すなわち、線形スケーリング、線形補間およびルックアップテーブルマッピングである。それらの方法は、すべて、ビデオ全体のフレームのすべてに対して同じ逆トーンマッピングを適用し、それは、ＬＤＲビデオがＨＤＲビデオからの局所化または領域ベースのトーンマッピング（３１０）方法によって生成される場合、適切に機能しない。
【００１２】
実際には、関心領域（ＲＯＩ）を用いる多くのアプリケーションでは、局所化トーンマッピング方法が使用される。さらに、線形スケーリング方法および線形補間方法は、比較的粗く、大域的にトーンマッピングされたＬＤＲビデオの場合でさえ、不十分な逆トーンマッピング品質をもたらす。ルックアップテーブルマッピングは、より優れた逆トーンマッピング結果を達成するが、ビデオシーケンス全体を検査することによって、ピクセル強度値のマッピングを構築する初期訓練が必要である。このプロセスは、非常に複雑であり、復号および表示の前に著しい初期遅延をもたらし、多くのリアルタイムアプリケーションには適していない。また、その方法は、多くのＲＯＩアプリケーションでは適切に機能しない。
【００１３】
別の逆トーンマッピング方法は、SegallおよびSu著「System for bit-depth scalable coding」（Joint Video Team of ISO/IEC MPEG & ITU-T VCEG, Doc. JVT-W113, April 2007）において述べられている。その方法では、２つのスケールファクタが使用されており、一方は輝度成分に対し、他方はクロミナンス成分に対する。スケールファクタは、逆トーンマッピングを実行するために、各ブロックに割り当てられる。このため、その方法は、ＲＯＩアプリケーションに対して、より適している。主な欠点として、スケールファクタは、セット｛０．５、１、１．５、２、２．５、３、３．５、４、４．５｝として事前定義され、そのスケールファクタのセットは、特定のビット深度における入力ビデオに適している。このため、この方法には、さまざまなビット深度のＨＤＲビデオを圧縮するという柔軟性がない。別の欠点は、すべてのクロミナンス成分に対して同一のスケールファクタが使用される、ということであり、これによって、逆トーンマッピング品質が劣化する可能性がある。
【発明の開示】
【発明が解決しようとする課題】
【００１４】
明らかに、ビット深度スケーラブルなビデオ圧縮方式に適合し、従来技術の欠点を克服する、逆トーンマッピングがあることが望ましい。特に、高品質をもたらし、広範囲のトーンマッピング技法と互換性があり、実質的な符号化オーバヘッドを被ることのない、逆トーンマッピング技法が必要である。
【課題を解決するための手段】
【００１５】
方法およびシステムは、復号器において画像の逆トーンマッピングを実行する。画像の各カラーチャネルの各ブロックに対し、以下のステップを実行する。
【００１６】
現ブロックに対する予測スケールファクタを、予測スケールファクタと隣接するブロックのスケールファクタとの差に加算することによって、画像の現ブロックに対するスケールファクタを確定する。
【００１７】
現ブロックに対する予測オフセットを、予測オフセット値と隣接するブロックのオフセット値との差に加算することによって、現ブロックに対するオフセット値を確定する。
【００１８】
スケールファクタおよびオフセット値を現ブロックのピクセル強度値に適用することによって、マッピングされたブロックを生成し、そこでは、マッピングされたブロックのビット深度は、現ブロックのビット深度より大きい。
【発明を実施するための最良の形態】
【００１９】
本発明は、トーンマッピングを使用して画像およびビデオのビット深度表現間の変換を行うシステムおよび方法を提供する。ビット深度変換は、低から高（ＬＤＲ→ＨＤＲ）であってもよく、高から低（ＨＤＲ→ＬＤＲ）であってもよい。画像およびビデオは、１チャネルモノクロームと、多チャネルカラーとの両方であってもよい。ブロック寸法は、可変であってもよい。本方法は、以下のパラメータを使用する。すなわち、スケールファクタ、オフセット値および予測方向である。これらのパラメータは、各カラーチャネルにおいて、各ブロックに対して確定される。ここでは、また、最適なスケールファクタを確定するプロセスについても説明する。スケールファクタのセットを固定または制限する従来の方法とは対照的に、本発明によるスケールファクタは、カスタマイズすることが可能であり、スケールファクタの範囲を、画像のより大きいダイナミックレンジに適合するために、適応的にかつ動的に増大させることができる。対応するオフセット値および予測方向は、スケールファクタから確定される。
【００２０】
符号化ビットストリームにおいて、スケールファクタおよびオフセット値を効率的に符号化するために、隣接するブロック間に存在する相関を考慮して、各ブロックは、各カラーチャネルに対し１つの予測方向に関連付けられる。現ブロックに対するスケールファクタおよびオフセット値は、（予測された）隣接するブロックのスケールファクタおよびオフセット値から予測される。
【００２１】
本発明の実施の形態を、アップコンバージョン、すなわち、ＬＤＲビデオからＨＤＲビデオへの変換について説明する。本発明は、また、ＨＤＲビデオからＬＤＲビデオへのダウンコンバージョンにも使用することができ、その場合、ＬＤＲおよびＨＤＲという用語は、以下の説明において逆にされるべきである。
【００２２】
符号器における逆トーンマッピング
図５は、本発明の１つの実施の形態による逆トーンマッピングプロセスを示す。この逆トーンマッピングは、図３の機能ステップ３２０の代りに使用することができる。トーンマッピングは、変換されるべき各画像の各ブロックおよび各カラーチャネルのピクセル強度値５０１に適用される。
【００２３】
本方法への入力は、特定のブロックのピクセル強度値５０１である。まず、候補スケールファクタのセットから、最適なスケールファクタ５１１が確定される（７００）。アップコンバージョンの場合、スケールファクタは、一般に１以上であり、ダウンコンバージョンの場合、ファクタは、１以下である。しかしながら、コンバージョンもまたファクタを考慮するため、所望のコンバージョンが達成可能である限り、上記スケールファクタ範囲に厳密に従う必要はない。
【００２４】
最適なスケールファクタを確定するプロセス７００については、後述する。最適なスケールファクタ５１１を使用するアップスケーリングされたＬＤＲピクセル強度値と、現ブロックにおけるピクセル強度値５０１との差の平均値として、オフセット値５２１が確定される（５２０）。
【００２５】
本発明の１つの実施の形態では、スケールファクタの予測方向は、オフセット値の予測方向に従う。現オフセット値５２１は、隣接するブロックの参照（ＬＥＦＴ（左）またはＡＢＯＶＥ（上））オフセット値５２２と比較される。ＬＥＦＴ（ブロック）オフセット値の方が現オフセット値５２１により近い場合、予測方向５３１は、ＬＥＦＴとして設定され、そうでない場合、予測方向は、ＡＢＯＶＥとして設定される。
【００２６】
本発明の別の実施の形態では、オフセット値の予測方向は、スケールファクタの予測方向に従う。現スケールファクタは、隣接する参照（ＬＥＦＴまたはＡＢＯＶＥ）スケールファクタと比較される。ＬＥＦＴスケールファクタの方が現スケールファクタにより近い場合、予測方向５３１は、ＬＥＦＴとして設定され、そうでない場合、予測方向は、ＡＢＯＶＥとして設定される。
【００２７】
予測方向は、また、隣接するブロック間のスケールファクタおよびオフセット値の両方の差の関数に基づいてもよい。例えば、スケーリングおよびオフセットの差の重み付き関数を使用してもよい。
【００２８】
予測方向５３１に基づき、予測スケールファクタ５１２は、ＬＥＦＴスケールファクタまたはＡＢＯＶＥスケールファクタとして設定され、予測オフセット値５２２は、ＬＥＦＴオフセット値またはＡＢＯＶＥオフセット値として設定される。現スケールファクタ５１１および予測スケールファクタ５１２のスケールファクタ差５４１が確定される（５４０）。現オフセット値５２１および予測オフセット値５２２のオフセット値差５５１が確定される（５５０）。
【００２９】
予測方向５３１、スケールファクタ差５４１およびオフセット差５５１は、エントロピー符号化され（３４０）（図３参照）、結果としての符号化ビットは、出力ビットストリーム３０９に加算される（３５０）。
【００３０】
各ピクセルに対し、スケールファクタ５１１をＬＤＲピクセル強度値と乗算し、オフセット値５２１を加算することによって、レイヤ間予測値３２１が確定される。
【００３１】
各ブロックに関連するオーバヘッドを低減するために、予測方向を、復号器に存在する情報から導出してもよい。例えば、予測方向を、現ブロックと空間的に隣接するブロックとの再構成されるＤＣ係数に従って確定してもよい。現ブロックのＤＣ係数は、隣接するブロックの参照（ＬＥＦＴまたはＡＢＯＶＥ）ＤＣ係数と比較される。ＬＥＦＴ  ＤＣ係数の方が現ＤＣ係数により近い場合、予測方向５３１は、ＬＥＦＴとして設定され、そうでない場合、予測方向５３１は、ＡＢＯＶＥとして設定される。予測方向は、このように暗黙に確定される場合、出力ビットストリームに明示的に符号化される必要はない。
【００３２】
復号器における逆トーンマッピング
図６は、本発明の１つの実施の形態による逆トーンマッピングを示し、それは、各カラーチャネルの各ブロックに対し、かつビット深度スケーラブル復号器４００の範囲内で適用される。このトーンマッピングを、図４の機能ステップ４２０の代りに用いることができる。上述したように、マッピングは、アップコンバージョンに対してであってもダウンコンバージョンに対してであってもよい。
【００３３】
本発明の１つの実施の形態では、入力ビット深度スケーラブル符号化ビットストリーム６０１から、それぞれステップ６１０、６２０および６３０によって、各色成分に対する現ブロックに対する予測方向６１１、スケールファクタ差６２１およびオフセット値差６３１がエントロピー復号される。
【００３４】
本発明の別の実施の形態では、予測方向６１１は、空間的に隣接するブロックのＤＣ係数から導出される。たとえば、ＬＥＦＴ  ＤＣ係数の方が現ＤＣ係数により近い場合、予測方向６１１は、ＬＥＦＴとして設定され、そうでない場合、予測方向６１１は、ＡＢＯＶＥとして設定される。
【００３５】
予測方向６１１に従って、ＬＥＦＴ隣接ブロックまたはＡＢＯＶＥ隣接ブロックのいずれかから、予測スケールファクタ６４１および予測オフセット値６５１が取得される。スケールファクタ差６２１を予測スケールファクタ６４１に加算することによって、現ブロックのスケールファクタ６４５が再構成される（６４０）。オフセット値差６３１を予測オフセット値６５１に加算することによって、現ブロックのオフセット値６５５が再構成される（６５０）。
【００３６】
レイヤ間残差６８１は、エントロピー復号される（６８０）。
【００３７】
ビット深度変換６７０は、各ピクセル強度値をスケールファクタ６４５で乗算し、オフセット値６５５およびレイヤ間残差６８１を加算することによって、トーンマッピングされたＨＤＲブロック６０９をもたらす。
【００３８】
最適なスケールファクタの確定
図７は、本発明の１つの実施の形態による、各カラーチャネルの各ブロックに対し最適なスケールファクタを確定するプロセス７００を示す。プロセスにおけるステップは、候補スケールファクタのセットの各候補スケールファクタに対して繰り返される。ピクセル強度値７０１が候補スケールファクタ７０２と乗算される（７１０）ことによって、スケーリングされたピクセル強度値７１１がもたらされる。スケーリングされたピクセル強度値７１１と入力ピクセル強度値７１２との差７２１が、ピクセル単位で確定される（７２０）。現ブロック内のすべてのピクセル強度値の絶対差の和（ＳＡＤ）７３１が確定される（７３０）。すべてのスケールファクタ候補によって生成されたＳＡＤ７３１が比較され（７４０）、最小ＳＡＤに関連するスケールファクタが、そのブロックに対する最適なスケールファクタとして選択される。
【００３９】
上記プロセスにおいて、ＳＡＤ基準を使用する代りに、平均二乗誤差（ＭＳＥ）または絶対値差分和（ＳＡＴＤ）等の別の測定値を使用してもよい。
【００４０】
別の実施の形態は、最小二乗（ＬＳ）当てはめを使用する。このように、各スケールファクタに対する繰返しを回避することによって、候補スケールファクタの数が大きい場合に、計算複雑性を低減することができる。
【００４１】
従来技術に対する比較
従来技術によるシステムとは対照的に、本発明は、著しい相違および利点を有する。本発明による逆トーンマッピングは、ブロックに基づくものであり、一方、Winken他によって述べられている方法は、大域的である。このため、本発明による逆トーンマッピングは、高品質を維持しながら、ＲＯＩアプリケーションに、より適している。
【００４２】
また、本発明による逆トーンマッピング技法では、復号およびレンダリングの前に初期遅延が必要でない。したがって、符号化方式をリアルタイムアプリケーションに適用することができる。
【００４３】
本発明による逆トーンマッピング技法は、（ＬＤＲ）ピクセル強度値を確定するために適用された（順方向）トーンマッピング技法とは無関係に適用される。これは、実際には、復号器は、符号化中に適用されたトーンマッピングを知らないため、重要である。
【００４４】
SegallおよびSuによって述べられている方法と比較して、本発明による逆トーンマッピングパラメータは、各画像の各ブロックの各カラーチャネルに対する、予測方向、スケールファクタおよびオフセット値を含む。従来技術は、２つのクロミナンス成分に対して同じスケールファクタおよびオフセット値を適用する。したがって、本発明による逆トーンマッピング方法は、特に、異なるカラーチャネルに対して異なるビット深度が使用される場合、マルチカラーチャネルアプリケーションに対し、より一般的である。本発明による方法を、４つ以上のカラーチャネルが使用される場合にも適用することができるということが、留意されるべきである。
【００４５】
本発明による逆トーンマッピングは、隣接するブロックから、スケールファクタと共にブロックオフセット値を予測する。従来技術は、オフセット値を予測しない。代わりに、オフセット値は、周波数領域におけるＤＣ係数として符号化される。オフセット値を予測することによって、本発明による逆トーンマッピングは、必要なオーバヘッドが最小限であり、より高い符号化効率をもたらすことができる。
【００４６】
本発明によれば、アプリケーションまたは入力画像のビット深度に従って、候補スケールファクタの範囲を動的に適応させることができる。従来技術では、スケールファクタセットは、事前に定義されている。したがって、本発明は、アプリケーションおよび異なるビット深度での、より広い範囲画像ソースに対し、より一般的に適用される。
【図面の簡単な説明】
【００４７】
【図１】従来技術によるビデオ符号器のブロック図である。
【図２】従来技術によるビデオ復号器のブロック図である。
【図３】ビット深度スケーラビリティを有する従来技術によるビデオ符号器のブロック図である。
【図４】ビット深度スケーラビリティを有する従来技術によるビデオ復号器のブロック図である。
【図５】本発明の１つの実施の形態による、符号器における逆トーンマッピングのブロック図である。
【図６】本発明の１つの実施の形態による、復号器における逆トーンマッピングのブロック図である。
【図７】本発明の１つの実施の形態による、逆トーンマッピングに対して最適なブロックベースのスケールファクタを確定するプロセスのブロック図である。
【図１】
0005153454.tif 000002
【図２】
0005153454.tif 000003
【図３】
0005153454.tif 000004
【図４】
0005153454.tif 000005
【図５】
0005153454.tif 000006
【図６】
0005153454.tif 000007
【図７】
0005153454.tif 000008